(57)【要約】【課題】  SIPアドレスとIPアドレスとの対応関係の登録を失敗したことをユーザが迅速に知ることができるようにする。【解決手段】  ネットワーク上でSIPを用いる場合の自端末のSIPアドレスとIPアドレスとを関連付けてSIPサーバ１に登録する通信端末３は、SIPサーバ１から前記登録に失敗した旨の通知を受けたとき、自端末の記憶部７に登録されているIPアドレスに対して登録失敗を通知する。その場合、記憶部７に複数の通知先が登録されていればそれらの通知先に上記通知を行う。また、SIPサーバ１からの登録失敗の理由コードを受け、その理由コードに応じて前記登録失敗の旨の通知をする/しないを選択する。【選択図】  図１
2006050256.tif 000002
【特許請求の範囲】
【請求項１】
ネットワーク上でセッション開始通信プロトコルを用いる場合の自端末のユーザを特定するユーザ特定情報と前記ネットワーク上における自端末を特定する端末特定情報とを関連付けてレジストラサーバに登録する機能を有する通信端末装置において、
前記登録に失敗した旨の通知先端末のユーザ特定情報を記憶する記憶手段と、
自端末が前記レジストラサーバから前記登録に失敗した旨の通知を受けたとき、その旨を前記記憶手段に記憶された通知先端末に通知する通知手段とを有することを特徴とする通信端末装置。
【請求項２】
前記記憶手段には複数の通知先端末が登録され、前記通知手段は前記登録された複数の通知先端末に前記通知を行うことを特徴とする請求項１記載の通信端末装置。
【請求項３】
前記レジストラサーバから前記登録が失敗した理由を示す理由情報を受け、その理由情報に応じて前記登録失敗の旨の通知をするか否かの選択設定を行う選択手段を有することを特徴とする請求項１記載の通信端末装置。
【請求項４】
前記ユーザ特定情報はSIPアドレスであり、前記端末特定情報はIPアドレスであることを特徴とする請求項１から３のいずれか１項に記載の通信端末装置。
【発明の詳細な説明】
【技術分野】
【０００１】
本発明は、ネットワーク上でSIP等のセッション開始通信プロトコルを用いる通信端末装置に関するものである。
【背景技術】
【０００２】
インターネット等のネットワーク上における通信端末がセッションを開始するための双方向通信プロトコルとして、SIP（Session  Initiation  Protocol）と呼ばれるものがある。SIPでは、ユーザを特定するためのSIPアドレスが各ユーザについて割り当てられる。その場合、ユーザが使用する通信端末をネットワーク上で特定するための例えばIPアドレスと、SIPアドレスとの対応関係がSIPサーバ（レジストラサーバ）に登録されて管理される。従来より、このようなSIPを用いた通信制御装置及び通信システムがいくつか提案されている（例えば、特許文献１参照）。
【特許文献１】特開２００２−１５２８０５号公報
【発明の開示】
【発明が解決しようとする課題】
【０００３】
SIPによる発呼・着呼を行うには、上述のように通信端末のSIPアドレスとIPアドレスとの対応関係がSIPサーバに登録されていることが必須の条件である。そのため、SIPサーバへの上記登録処理に失敗した場合は、その間、その通信端末は発呼も着呼もできない状態に陥る。従って、当該通信端末を管理するユーザとしては、登録失敗の事実をできるだけ早く把握することが重要である。しかしながら、ユーザが当該通信端末から離れた場所にいる場合は、登録失敗の事実を知るまでに時間がかかってしまうという問題があった。
本発明は、SIPアドレスとIPアドレスとの対応関係の登録を失敗したことを離れた場所にいるユーザが迅速に知ることができるようにすることを目的とする。
【課題を解決するための手段】
【０００４】
請求項１記載の発明は、ネットワーク上でセッション開始通信プロトコルを用いる場合の自端末のユーザを特定するユーザ特定情報とネットワーク上における自端末を特定する端末特定情報とを関連付けてレジストラサーバに登録する機能を有する通信端末装置において、登録に失敗した旨の通知先端末のユーザ特定情報を記憶する記憶手段と、自端末がレジストラサーバから登録に失敗した旨の通知を受けたとき、その旨を記憶手段に記憶された通知先端末に通知する通知手段とを有することを特徴とする。
【０００５】
請求項２記載の発明は、請求項１記載の発明において、記憶手段には複数の通知先端末が登録され、通知手段は登録された複数の通知先端末に通知を行うことを特徴とする。
【０００６】
請求項３記載の発明は、請求項１記載の発明において、レジストラサーバから登録が失敗した理由を示す理由情報を受け、その理由情報に応じて登録失敗の旨の通知をするか否かの選択設定を行う選択手段を有することを特徴とする。
【０００７】
請求項４記載の発明は、請求項１から３のいずれか１項に記載の発明において、ユーザ特定情報はSIPアドレスであり、端末特定情報はIPアドレスであることを特徴とする。
【発明の効果】
【０００８】
本発明によれば、レジストラサーバへの登録が失敗した場合に、自端末のユーザは離れた場所にいても登録失敗に対していち早く対応することができ、自端末の発呼・着呼不可能な期間を短時間に抑えることができる。
【発明を実施するための最良の形態】
【０００９】
以下、添付図面を参照しながら本発明の実施の形態を説明する。
図１は本発明の実施の形態による通信端末を用いた通信システムの構成を示すブロック図である。
図１において、SIPサーバ（レジストラサーバ）１は、各通信端末のユーザ特定情報としてのSIPアドレスと端末特定情報としてのIPアドレス（またはホスト名称）との関連付けを示すデータの登録処理を担うサーバである。ネットワーク上の各通信端末は、当該サーバ１に対してSIPアドレスとIPアドレスとの関連付けの登録要求を行う。ロケーションサーバ２は、SIPサーバ３により登録処理された関連付けデータを管理する機能を担うサーバである。
【００１０】
通信端末として図示では、エンドポイント１，２，３の通信端末３，５，６を用いる。SIPサーバ１及び各エンドポイントの通信端末はインターネット等のネットワーク４に接続されている。ここでは、エンドポイント１の通信端末３を本発明が適用される通信端末とする。即ち、通信端末３は、SIPアドレスとIPアドレスとの関連付けの登録要求機能を有する通信端末である。尚、エンドポイント２，３には、ここでは携帯端末等のモバイルな通信端末５，６を想定している。
通信端末３は記憶部７を備えている。この記憶部７は、通信端末３が自端末の上記登録に失敗した場合に、その旨を通知する通知先のIPアドレスを登録するものである。登録されるIPアドレスとしては、エンドポイント２，３の携帯端末やその他の遠隔地にある通信端末であってよい。
【００１１】
次に、上記構成による動作について図２のフローチャートに沿って説明する。
[準備]
通信端末３を管理するユーザは、SIPサーバ１への自端末の上記登録に失敗したときの連絡先IPアドレスを予め自端末（通信端末３）の記憶部７に登録しておく。ここで、請求項１、３に関する実施の形態では、記憶部７に記憶するIPアドレスはただ１つであり、請求項２に関する実施の形態では、複数のIPアドレスを記憶することができる。
【００１２】
図２において、まず通信端末３は、接続先のSIPサーバ１に対してトランスポート種別UDP、またはTCPでセッションをオープンする(S101)。セッションのオープンに成功した場合、通信端末３は、SIPサーバ１に対して自端末の登録のためにSIPメッセージREGISTER (expires!=0)を送信する(S102)。これに応じてSIPサーバ１から送信された最終応答を受信し、受信した最終応答が登録成功を示す200_OKであるか否かを判断する(S103）。200_OKである場合には（S103のYes）、最終応答メッセージで指定されたexpires時間ウエイトした後(S104)、S102の処理を繰り返す。
【００１３】
一方、200_OK以外の最終応答を受信した場合は（S103のNo）、登録処理に失敗したことになり、次の処理が行われる。
請求項１に関する実施の形態の場合：記憶部７に記憶されている「SIP登録失敗時の通知先IPアドレス」の通信端末へ登録処理が失敗した旨を載せたメッセージを送信する(S106)。
請求項３に関する実施の形態の場合：最終応答に含まれる登録失敗の理由を示す理由コードを判断して「SIPの登録が失敗した旨を載せたメッセージを送信する/しない」を選択設定する(S105)。図２のフローチャートの例では、理由コード5xxのようなサーバ側の原因によって発生した登録失敗に対しては、クライアント（通信通信端末３）側の対応では解決できないので、ユーザへのメッセージ送信は行わない。理由コード4xxのようなクライアント側が原因で登録失敗したものに対してだけ登録失敗発生の旨のメッセージを送信する(S106)。
【００１４】
メッセージを送信するあて先数は、請求項１に関する実施の形態ではただ１つであるが、請求項２に関する実施の形態では、記憶部７には複数の「SIP登録失敗時の通知先に複数のIPアドレス」が記憶されており、この複数IPアドレスのすべてにSIPの登録が失敗した旨を載せたメッセージを送信する(S106)。その後、オープンしているセッションをクローズして、一定時間経過したところで(S107)、S101の処理を繰り返す。
【００１５】
以上説明した各実施の形態によれば、次の効果を得ることができる。
請求項１に関する実施の形態によれば、SIPサーバ１への登録に失敗した場合に、予め自端末に登録されているIPアドレスに登録が失敗した旨を自動的に通知する機能を有することにより、SIPサーバ１への登録が失敗した場合に、当該端末を管理するユーザは当該端末から離れた場所にいても、携帯端末等により直ちに登録失敗の不具合を知ることができ、いち早く対応することができる。これにより、当該端末の発呼・着呼不可能な期間を短時間に抑えることができる。
【００１６】
請求項２に関する実施の形態によれば、ユーザの利用形態はさまざまであり、通信端末を管理するユーザもまた場合によっては管理を行えない状況にあることもあり得る。このような場合、登録失敗の通知は、それぞれの管理人へ通知することが望ましい。SIPサーバ１への自端末の登録失敗の通知先を複数登録することができる機能を有することにより、当該通信端末を管理する複数のユーザに同時に不具合を通知することができる。
【００１７】
請求項３に関する実施の形態によれば、登録失敗の旨の通知をする/しないの判断を行う機能を有することによって、SIPサーバ側の不具合が原因である場合のように、ユーザ側の対応では解決できない状況での通知を避けることができる。SIPサーバ１への登録に失敗した場合、SIPサーバ１から通信端末へその理由コードが通知される。この理由コードは、RCF3261で定められているものだけ存在する。本実施の形態は、登録に失敗した原因がクライアント側にある場合だけ、管理人へ通知してほしいというユーザの要望に答えたものである。
【図面の簡単な説明】
【００１８】
【図１】本発明の実施の形態による通信端末を用いた通信システムの構成を示すブロック図である。
【図２】通信端末の動作を示すフローチャートである。
【符号の説明】
【００１９】
１    レジストラサーバ
３，５，６    通信端末（エンドポイント１，２，３）
４    ネットワーク
７    記憶部 
【図１】
2006050256.tif 000003
【図２】
2006050256.tif 000004